(57)【要約】【課題】日射遮蔽機能と、採光機能および通風機能を満足できる日除けシートを提供すること。【解決手段】日除けシート７は、窓４の日除けを行なうための網状生地から形成されている。しかも、日除けシートは、部分的に網目間隔の異なった生地とすることで、日射遮蔽・採光・通風のバランスの取れた日除けを行うようにしている。【選択図】図１
2008106486.tif 000002
【特許請求の範囲】
【請求項１】
窓の日除けを行なうための網状生地製の日除けシートであって、部分的に網目間隔の異なった生地とすることで、日射遮蔽・採光・通風のバランスの取れた日除けを提供することを特徴とする日除けシート。
【請求項２】
請求項１の日除けシートにおいて、庇の出寸法と日除けの位置関係から、網目間隔を決定することで日射遮蔽機能の低減を最小限にしつつ採光機能を向上させたことを特徴とする日除けシート。
【発明の詳細な説明】
【技術分野】
【０００１】
この発明は、網状生地から形成した窓の日除けを行う日除けシートに関するものである。
【背景技術】
【０００２】
従来、建物の日除け装置としては、窓から室内に入る日射を日除けシート等の膜状体で遮蔽することにより、室内の日除けを行うようにしたものが知られている（例えば、特許文献１，２参照）。
【特許文献１】特開平１１−１６６３７９号公報
【特許文献１】特開２０００−３０３６４０号公報
【発明の開示】
【発明が解決しようとする課題】
【０００３】
しかし、このような日除けに用いられる布製の幕状体は布目（網目）が均一であるため、日射遮蔽機能を高めようとすれば、布目を細かくする必要があり、採光機能や通風機能を向上させようとすれば、布目を粗くする必要がある。このように日射遮蔽機能と、採光機能および通風機能は相反するものとなり、片方を向上させると片方が不利となる問題がある。
【０００４】
そこで、この発明は、日射遮蔽機能と、採光機能および通風機能を満足できる日除けシートを提供することを目的とするものである。
【課題を解決するための手段】
【０００５】
この目的を達成するため、請求項１の発明は、窓の日除けを行なうための網状生地製の日除けシートであって、部分的に網目間隔の異なった生地とすることで、日射遮蔽・採光・通風のバランスの取れた日除けを提供することを特徴とする。
【０００６】
また、請求項２の発明は、請求項１の日除けシートにおいて、庇の出寸法と日除けの位置関係から、網目間隔を決定することで日射遮蔽機能の低減を最小限にしつつ採光機能を向上させたことを特徴とする。
【発明の効果】
【０００７】
請求項１，２の日除けシートによれば、日射遮蔽機能と、採光機能および通風機能を満足できる。
【発明を実施するための最良の形態】
【０００８】
以下、この発明の実施の形態を図面に基づいて説明する。
【０００９】
図１（ａ）において、建物１は室２を有し、室２の外壁３は窓（窓開口）４を有する。また、外壁３の上部には庇５が設けられている。尚、図１（ａ）は、窓４の窓ガラス（図示せず）等を開けたときの状態を示している。
【００１０】
この外壁３と庇５との入隅には、窓４の上縁に沿って延びるシート巻取装置６が取り付けられている。このシート巻取装置６には、従来周知のシャッター巻取装置やスクリーン巻取装置を用いることができるので、その詳細な説明は省略する。
【００１１】
このシート巻取装置６には、この発明に係る網目生地製の日除けシート７が巻取可能且つ下方に繰り出し可能に装着されている。また、日除けシート７は、図１（ｂ）に示したように縦糸８と横糸９から網目状に形成されている。
【００１２】
この横糸９の間隔は上側の範囲Ａが下側の範囲Ｂよりも広く設定されている。これにより、日除けシート７の範囲Ａの網目７ａは広く設定され、範囲Ｂの網目７ｂは範囲Ａの網目７ａよりも狭く設定されている。
【００１３】
尚、範囲Ａの広い網目７ａは、夏場の所定の太陽高度と庇５の出寸法Ｌから、庇５で日射Ｃ１が遮られていることで直接に日射Ｃが当たらない部分に設定されている。この夏場の所定の太陽高度は、例えば、日射Ｃにより室２内の温度の上昇が急激に大きくなる時点、或いはそのピーク前の時間等を考慮して用いられる。また、範囲Ｂの狭い網目７ｂは、庇５で防げない日射Ｃの部分に設定されている。
【００１４】
このような構成によれば、図１（ｂ）に示したように日除けシート７の上側の範囲Ａの網目７ａは広く設定されているので、図１（ａ）に示したように日除けシート７で窓４を遮蔽したときに、日除けシート７の上側の範囲Ａは矢印Ａ１で示したように通気性と採光性が良好であり、日除けシート７の下側の範囲Ｂの網目７ｂは日射遮蔽性が良好となる。
【００１５】
この結果、日射Ｃにより室２内の温度の上昇が急激に大きくなる時点或いはそのピーク前の時間等において、日除けシート７で窓４を遮蔽したときに、日射遮蔽性機能を落とすことなく、通気性及び採光性を向上させることができるので、室２内は暑くなりにくく且つ室２内の暗さも軽減される。
（変形例１）
また、図２（ａ），図２（ｂ）は、日除けシート７の上下の範囲Ａ，Ａ′に図１と同様な広い網目７ａを設定し、範囲Ａ，Ａ′の網目７ａを範囲Ｂの網目７ｂよりも広く設定した例を示したものである。
【００１６】
この構成においては、窓４を窓ガラス１０で閉じて、室２を外部と遮断したときに、窓ガラス１０と日除けシート７との間の空間１１の空気１２が日射等により暖められて温度上昇すると、空間１１内の空気１２が矢印Ａ２で示したように上昇して、日除けシート７の上側の範囲Ａから矢印Ａ３で示したように熱気として大気に放出される一方、日除けシート７の下側の範囲Ａ′から比較的涼しい外気が矢印Ａ４で示したように空間１１内に流入する。
【００１７】
この結果、空間１１の空気が暖まりにくいので、空間１１から室２内に窓ガラス１０を介して伝わる熱が軽減され、室２内が暑くなりにくい。
【００１８】
しかも、日除けシート７の上側の範囲Ａは日射がないので、図２（ｂ）に示したように範囲Ａの網目７ａを広くして、通気性と採光性を良くしても、室２内の温度上昇を抑制できる。また、日除けシート７の下側の範囲Ａ′は日射があっても、図２（ｂ）に示したように範囲Ａ′の網目７ａを広くすることで、比較的に涼しい空気が空間１１に流入するので、通気性が良くなり、室２内の温度上昇を抑制できると共に、室２への採光性を向上させることができる。
【００１９】
これらの結果、日除けシート７の上下の範囲Ａ，Ａ′に広い網目７ａを設けることで、室２内の温度上昇を抑制しながら、室２への採光性を図１の場合より向上させることができる。
（使用例）
また、図２（ａ），図２（ｂ）の建物１の窓ガラス１０を開けて図３のようにして使用することにより、空気の浮力により日除けシート７の下側の範囲Ａ′から冷気が矢印Ａ４で示したように室２内に入り、日除けシート７の上側の範囲Ａから室２内の熱気が矢印Ａ３で示したように抜けるため、日除けシート７全体の日射遮蔽性能を落とすことなく、通風性能を向上させることが出来、室２内が暑くなりにくい。
【００２０】
しかも、図２（ｂ）に示したように日除けシート７の上下の範囲Ａ，Ａ′に広い網目７ａを設けることで、室２内の温度上昇を抑制しながら、室２への採光性を図１の場合より向上させることができる。
【００２１】
以上説明したように、この発明の実施の形態の日除けシート７は、窓４の日除けを行なうための網状生地から形成されている。しかも、日除けシートは、部分的に網目間隔の異なった生地とすることで、日射遮蔽・採光・通風のバランスの取れた日除けを行うようにしている。
【００２２】
また、この発明の実施の形態の日除けシート７において、庇５の出寸法Ｌと日除けの位置関係から、網目間隔を決定することで日射遮蔽機能の低減を最小限にしつつ採光機能を向上させている。
【図面の簡単な説明】
【００２３】
【図１】（ａ）はこの発明に係る日除けシートを備える建物の概略説明図、（ｂ）は（ａ）の日除けシートの網目の説明図である。
【図２】（ａ）はこの発明に係る他の日除けシートを備える建物の概略説明図、（ｂ）は（ａ）の日除けシートの網目の説明図である。
【図３】図２（ａ），（ｂ）の日除けシートの使用例を示す説明図である。
【符号の説明】
【００２４】
１・・・建物
２・・・室
３・・・外壁
４・・・窓
５・・・庇
７・・・日除けシート
７ａ，７ｂ・・・網目
Ａ，Ａ′・・・範囲
Ｂ・・・範囲
Ｌ・・・出寸法
【図１】
2008106486.tif 000003
【図２】
2008106486.tif 000004
【図３】
2008106486.tif 000005